(57)【要約】【課題】後背部等のように自分自身で薬剤を塗りにくい部所に容易かつ確実に塗布でき、またバック等に容易に収納可能な薬剤塗布器具を提供する。【解決手段】薬剤塗布部２を設けた薬剤塗布部取付部材３と、手で把持するハンドル部材４をヒンジ５により折り畳み自在に接続する。使用する際には、薬剤塗布部取付部材３とハンドル部材４を開いて端部同士を突合させてくの字状にする。また、ヒンジ５部分で両部材３，４を折り畳み、バック等に収納可能にする。【選択図】図１
0003106108.tif 000002
【実用新案登録請求の範囲】
【請求項１】
薬剤等からなる塗布剤の塗布部を設けた第１の部材と、手で把持する第２の部材と、前記第１の部材と第２の部材を折り畳み自在に接続するヒンジとを備え、前記第１の部材と第２の部材の端部を突合させて前記第１の部材と第２の部材を所定の角度でくの字状に維持可能にするとともに、前記第１の部材に設けた塗布部を前記第２の部材によりカバーし得るように構成したことを特徴とする薬剤塗布器具。
【請求項２】
前記第２の部材は、薬剤等からなる塗布剤の塗布部を設けたことを特徴とする請求項１記載の薬剤塗布器具。
【請求項３】
前記塗布部は、発泡ウレタン等からなるクッション材とウレタン、不繊布またはゴムからなる塗布部材からなり、クッション材をプラスチック製の第１の部材または第２の部材に固着するとともに、前記塗布部材をクッション材に固着したことを特徴とする請求項１または２記載の薬剤塗布器具。
【請求項４】
前記塗布部を略楕円形状とし、前記第１の部材および第２の部材の長手方向に対して楕円の長径を傾斜あるいは、前記第１の部材および第２の部材をそれぞれの長手方向に関してひねりを加えたことを特徴とする請求項１または２記載の薬剤塗布器具。
【考案の詳細な説明】
【技術分野】
【０００１】
本考案は、クリーム、乳液、ローション等の外用剤からなる薬剤等を後背部や腰部など手の届きにくい部所に自分自身で塗ることができる薬剤塗布器具に関する。
【背景技術】
【０００２】
一般に、後背部や腰部など手の届きにくい部所に外用剤を塗る際、自分自身では必要な部所に的確かつ万遍なく均一に塗ることが難しく、他人に依存しなければならない場合が多かった。
【０００３】
そこで、従来、前記部所に自分自身で外用剤を塗ることのできる塗布器具が提案されている。例えば、孫の手の把持部の端部に薬剤を塗布するためのパフ保持盤を設けた薬剤を塗布する物が提案されている（例えば、特許文献１参照。）。
【０００４】
また、塗布用のスポンジを開口部に取り付けた液状薬容器を保持した固定柄と手で握る可動柄を接続し、可動柄を固定柄に対して折り畳み可能にしてバックなどに入れて携帯に便利な液状薬塗布具が提案されている（例えば、特許文献２参照。）。
【０００５】
さらに、不織布等で表面層を形成し、この表面層に薬液を貯めておく凹部を形成するとともに、表面層の下にスポンジからなるクッション層を設け、このクッション層をベース板に取り付けて、ベース板を手にて直接保持して薬液を患部に塗布する塗布器具が提案されている（例えば、特許文献３参照。）。
【０００６】
【特許文献１】登録実用新案第３０８８７２８号公報
【特許文献２】登録実用新案第３０３５８７６号公報
【特許文献３】登録実用新案第３０８７９９９号公報
【考案の開示】
【考案が解決しようとする課題】
【０００７】
しかしながら、前記登録実用新案第３０８８７２８号公報にあっては、棒状で携帯に不便であり、室内での使用に限定されるという問題があった。
【０００８】
また、前記登録実用新案第３０３５８７６号公報にあっては、可動柄を折り畳んでバックなどにより携帯可能であるが、この際に液状薬容器に蓋をしなければならないという行為が必要であり、また、液状薬容器を保持しているので固定柄と可動柄を同じ長さにでないため、折り畳んだ際に全体を半分の長さにできず、バックなどの内部で嵩張るという問題があった。
【０００９】
さらに、前記登録実用新案第３０８７９９９号公報にあっては、手でベース板を持つため、手の届く範囲にしか塗れず、手の届かない部所は他人に依存しなければならい問題があった。
【００１０】
本考案は、前記従来の問題点に鑑みてなされたもので、後背部等のように自分自身で薬剤を塗りにくい部所に容易かつ確実に塗布でき、またバック等に容易に収納可能な薬剤塗布器具を提供することを目的とする。
【課題を解決するための手段】
【００１１】
前記目的を達成するために、  本考案の請求項１は、薬剤等からなる塗布剤の塗布部を設けた第１の部材と、手で把持する第２の部材と、前記第１の部材と第２の部材を折り畳み自在に接続するヒンジとを備え、前記第１の部材と第２の部材の端部を突合させて前記第１の部材と第２の部材を所定の角度でくの字状に維持可能にするとともに、前記第１の部材に設けた塗布部を前記第２の部材によりカバーし得るように構成したことを特徴とする。
【００１２】
本考案の請求項２は、請求項１において、前記第２の部材は、薬剤等からなる塗布剤の塗布部を設けたことを特徴とする。
【００１３】
本考案の請求項３は、請求項１または請求項２において、前記塗布部は、発泡ウレタン等からなるクッション材とウレタン、不繊布またはゴムからなる塗布部材からなり、クッション材をプラスチック製の第１の部材または第２の部材に固着するとともに、前記塗布部材をクッション材に固着したことを特徴とする。
【００１４】
本考案の請求項４は、請求項１または請求項２において、前記塗布部を略楕円形状とし、前記第１の部材および第２の部材の長手方向に対して楕円の長径を傾斜あるいは、前記第１の部材および第２の部材をそれぞれの長手方向に関してひねりを加えたことを特徴とする。
【考案の効果】
【００１５】
本考案のよれば、第１の部材と第２の部材をくの字状に維持した状態で薬剤等の塗布が可能になり、後背部や腰部等の部所に容易かつ確実に薬剤を塗布することができる。また、第１の部材と第２の部材を折り畳み小さくすることができるのでバック等に収納することができる。さらに、第２の部材で塗布部をカバーでき、塗布部を衛生的に保持できるとともに、使用した薬剤等が塗布部に残存していても、収納部を汚すことなく収納することができる。また、異なる薬剤等を同時に使用することができる。さらに、塗布部を背中等の曲面に当接させ、フィット感を高めることができ、確実に薬剤を塗布することができる。
【考案を実施するための最良の形態】
【００１６】
薬剤等の塗布部部を設けた部材と手で把持する部材を接続し、手の届きにくい背中等の部所を自分自身で塗布できる長さにするとともに、折り畳んで携帯し得るようにした。
【実施例１】
【００１７】
本考案の薬剤塗布器具の実施例１を図１〜図４に基づいて説明する。図１は薬剤塗布器具の開いた状態を示す斜視図、図２は薬剤塗布器具の折り畳んだ状態を示す斜視図、図３は他の形状を示す斜視図、図４は薬剤塗布部を示す断面図、図５は使用状態を示す図である。
【００１８】
図１に示すように、薬剤塗布器具１は、体に塗る薬剤を保持する薬剤塗布部２と、この薬剤塗布部２を設けた第１の部材としての薬剤塗布部取付部材３と、手で掴む第２の部材としてのハンドル部材４と、薬剤塗布部取付部材３とハンドル部材４とを折り畳み可能に接続するヒンジ５とを備えている。ここで薬剤は、医薬品、医薬部外品、化粧品等の外用剤で、例えば、塗り薬、クリーム剤、乳液、ローション剤等のカユミ止め、保湿剤、日焼けオイル、日焼け止めオイル等を含むものである。
【００１９】
前記薬剤塗布部取付部材３とハンドル部材４は、同じ形状のプラスチック（ＰＥ）製板状部材からなっており、一端を弧状に形成するとともに他端を直線状に形成し、両方の直線状端部をヒンジ５により接続して折り畳み可能になっている。直線状端部は所定の角度に形成されており、図１に示すように開いて使用する際に、両方の直線状端部が突合して薬剤塗布部取付部材３とハンドル部材４が所定の角度αを有して停止するようになっており、この状態で手の届きにくい背中等に前記薬剤塗布部２に保持した薬剤が塗りやすくなり、例え肩甲骨などの出っ張り下方であっても容易に行うことができる。この角度αは１２０°〜１５０°程度が好ましい。また、両部材３，４は、手の届きにくい背中等の全体に薬剤塗布部２を届かせるとともに服を着た状態でも薬剤の塗布を可能とし、かつ図２に示すように折り畳んでバック等に収納できるとともに嵩張らないような長さ、幅、厚さとなっており、例えば、両部材３，４はそれぞれ長さ１５０〜２００ｍｍ、幅約４０ｍｍ、厚さ２〜３ｍｍ程度が好ましい。なお、両部材３，４は、図１，２に示すように、略長方形状に限られず、図３に示すように略ひょうたん形状に形成しても良く、前述したように薬剤を塗布できるとともに、バック等に収納可能な大きさであれば、その形状は限定されない。また、両部材３，４には、フックに掛止する孔３ａ，４ａを設けてもよい。
【００２０】
薬剤塗布部２は、長径約５０ｍｍ、短径約３０ｍｍの楕円形状に形成され、長径を薬剤塗布部取付部材３の長手方向に沿わせて弧状側の端部近傍に配設されるとともに、ハンドル部材４によりカバーできる面上に設けられている。この薬剤塗布部２は、図４に示すように、発泡ウレタン等のクッション材６とウレタンまたはゴム等の塗布部材７とからなっている。クッション材６は薬剤塗布部取付部材３に埋設固定されるとともに、塗布部材７はクッション材６の面上に固着され、塗布部材７上に保持した薬剤を適度の弾性を有して皮膚に塗布できるようになっている。なお、塗布部材７は不織布によりカバーしてもよい。
【００２１】
次に、本実施例の作用を説明する。
薬剤塗布器具１を使用する際には、図２に示す折り畳んだ状態から、図１に示すようにハンドル部材４と薬剤塗布部取付部材３とを開く。そして、薬剤塗布部２の塗布部材７の面上に必要な薬剤を供給して保持させ、ハンドル部材４を手に持って肩口から薬剤塗布部取付部材３の薬剤塗布部２を背中に位置させ、手を上下左右に適宜動かして塗布部材７により薬剤を必要な部所に塗布する。
【００２２】
本実施例によれば、薬剤塗布部取付部材３とハンドル部材４は、塗布時に所定の角度αに維持されて「くの字」となっているので、手の届きにくい背中や腰部の曲面に合わせて無理なく塗布部材７を当接させ薬剤を容易に塗ることができる。また、肩甲骨等の出っ張り下方の部分であっても、容易に塗布することができる。
【００２３】
また、薬剤塗布部２は、薬剤塗布器具１を折り畳むことによりハンドル部材４で覆ってカバーすることができるので、不使用時に薬剤塗布部２を衛生的に保つことができる。さらに、薬剤塗布器具１の使用直後に薬剤塗布部２を洗浄できない場合であっても、ハンドル部材４によりカバーすることで、薬剤塗布部２に残存する薬剤が不注意で衣服等に付着させることを防ぐことができ、またバック等に収納した際に内部を汚すのを防ぐことができる。さらに、海岸等の戸外でサンオイル等を使用した後に砂等の異物が付着するのを防げ、時間をおいても再度安心して使用することができる。
【実施例２】
【００２４】
本考案の薬剤塗布器具の実施例２を図６に基づいて説明する。図６は薬剤塗布器具の開いた状態を示す斜視図である。
【００２５】
本実施例の薬剤塗布器具１０は、薬剤塗布部取付部材１１およびハンドル部材１２は、同じ状態で同じ方向にひねりを入れて形成されている。その他の構成は実施例１と同様である。
【００２６】
本実施例によれば、薬剤塗布部取付部材１１およびハンドル部材１２にひねりを入れたので、ハンドル部材１２の持つ手を大きくひねることなく、薬剤塗布部取付部材１１に設けた薬剤塗布部２を背中等の曲面に当接させ、フィット感を高めることができ、確実に薬剤を塗布することができる。その他の作用、効果は実施例１と同様である。
【実施例３】
【００２７】
本考案の薬剤塗布器具の実施例３を図７に基づいて説明する。図７は本実施例に備えた薬剤塗布部を側方から見た図である。
【００２８】
本実施例の薬剤塗布器具１５は、薬剤塗布部２の長径を薬剤塗布部取付部材３の長手方向に対して傾けて薬剤塗布部取付部材３に取り付けられている。その他の構成は実施例１と同様である。
【００２９】
本実施例によれば、実施例２と同様な作用、効果を得ることができる。
【実施例４】
【００３０】
本考案の薬剤塗布器具の実施例４を図８に基づいて説明する。図８は本実施例に備えた薬剤塗布部を側方から見た図である。
【００３１】
薬剤塗布部１７は、クッション材６に対して塗布部材７が着脱可能に設けられている。薬剤塗布部取付部材３に埋設固着したクッション材６の上面には多数の繊維状の輪部を形成したシート材６ａが設けられ、塗布部材７の下面には多数の繊維状のかぎ部を形成したシート材７ａが設けられており、シート材６ａの輪部にシート材７ａのかぎ部が着脱可能に係合するようになっている。その他構成は実施例１と同様である。
【００３２】
本実施例によれば、薬剤を塗布する背中の位置およびその曲面状態により、塗布部材７を薬剤塗布部取付部材３の長手方向に対して必要に応じて任意の量だけ傾斜させてフィット感を高めることができる。その他の作用、効果は実施例２と同様である。
【実施例５】
【００３３】
本考案の薬剤塗布器具の実施例５を図９に基づいて説明する。図９は本実施例に備えた薬剤塗布部を示し、図９（ａ）は側方から見た部分断面図、図９（ｂ）は上方から見た図である。
【００３４】
薬剤塗布部２０は、前記実施例１と同様に、クッション材６と塗布部材２１とからなり、薬剤塗布部取付部材３に配置されている。塗布部材２１の薬剤保持面には、凹状の窪み２１ａが形成されている。その他の構成は、実施例１と同様であり、実施例４に塗布部材２１を適用することができる。
【００３５】
本実施例によれば、塗布部材２１の窪み２１ａに薬剤を供給し、塗布部材２１から薬剤が容易に滴下しないようにすることができる。すなわち、塗布部材２１の窪み２１ａで薬剤を保持することできるので、背中等に薬剤を塗布する際に、薬剤が塗布部材２１から落ちずらくなり、例えば粘度の低い薬剤（例えばローション等）であっても容易に塗布することができる。その他の作用、効果は実施例１と同様である。
【実施例６】
【００３６】
本考案の実施例６を図１０に基づいて説明する。図１０は開いた状態を示す斜視図である。
【００３７】
本実施例の薬剤塗布器具２５は、薬剤塗布部を薬剤塗布部取付部材３およびハンドル部材４の両方に設けて構成したもので、図１０においては、薬剤塗布部取付部材３に薬剤塗布部２を設け、ハンドル部材４に窪み２１ａを有する薬剤塗布部２０を設けてある。なお、薬剤塗布部２をハンドル部材４に設け、薬剤塗布部２０を薬剤塗布部取付部材３に設けてもよい。
【００３８】
本実施例によれば、異なる種類の薬剤を同時に使用して塗布できるとともに、粘度の異なる薬剤であっても的確に塗布することができる。その他の作用、効果は実施例１，２と同様である。
【００３９】
また、薬剤塗布部取付部材３およびハンドル部材４に設ける薬剤塗布部は、同じ形状の塗布部材としてもよい。
【図面の簡単な説明】
【００４０】
【図１】本考案の実施例１を示す斜視図である。
【図２】本考案の実施例１を示す斜視図である。
【図３】本考案の実施例１の変形例を示す斜視図である。
【図４】本考案の実施例１の薬剤塗布部を示す断面図である。
【図５】使用状態を示す図である。
【図６】本考案の実施例２を示す斜視図である。
【図７】本考案の実施例３を示す斜視図である。
【図８】本考案の実施例４の薬剤塗布部を示す図である。
【図９】本考案の実施例５の薬剤塗布部を示し、図９（ａ）は側方から見た部分断面図、図９（ｂ）は上方から見た図である。
【図１０】本考案の実施例６を示す斜視図である。
【符号の説明】
【００４１】
１，１０，１５，２５  薬剤塗布器具
２，１７，２０  薬剤塗布部
３，１１  薬剤塗布部取付部材
３ａ，４ａ  孔
４，１２  ハンドル部材
５  ヒンジ
６  クッション材
６ａ，７ａ  シート材
７，２１  塗布部材
８  掛止用の紐部
２１ａ  窪み
【図１】
0003106108.tif 000003
【図２】
0003106108.tif 000004
【図３】
0003106108.tif 000005
【図４】
0003106108.tif 000006
【図５】
0003106108.tif 000007
【図６】
0003106108.tif 000008
【図７】
0003106108.tif 000009
【図８】
0003106108.tif 000010
【図９】
0003106108.tif 000011
【図１０】
0003106108.tif 000012